(57)【特許請求の範囲】
【請求項１】
医療超音波装置であって、
回転する駆動軸を有するモーターを備え、前記駆動軸は前記モーターの径方向内側に位置決めされ、前記駆動軸は、実質的に回転軸に沿って延在し、前記モーターの動作により前記駆動軸が前記回転軸を中心に回転し、医療超音波装置はさらに、
超音波信号を送信および／または受信するように構成されるとともに、前記駆動軸の回転に応答して回転するように前記駆動軸と動作的に結合するトランスデューサを備え、前記トランスデューサは、前記トランスデューサから延在する音響窓を規定する範囲にわたって前記回転軸を中心に回転可能であり、前記音響窓の全体は、撮像可能超音波信号の通過を許容する音響減衰を有し、医療超音波装置はさらに、
前記トランスデューサから前記駆動軸を通って延在する第１の伝導経路を備え、前記第１の伝導経路の一部は、前記駆動軸を通って延在する第１の導体を少なくとも含み、
前記トランスデューサから前記駆動軸を通って延在する第２の伝導経路をさらに備え、前記第２の伝導経路の一部は、前記駆動軸を通って延在する第２の導体を少なくとも含み、前記第１および第２の導体は、前記駆動軸内に固定して取り付けられるとともに、前記駆動軸とともに回転し、
前記駆動軸は同軸ケーブルであり、前記第１の伝導経路は前記第２の伝導経路に対して同心で位置決めされ、
前記モーターは、前記モーターが第１の回転方向と反対の第２の回転方向との間で交互に前記回転軸を中心に前記駆動軸を回転させる動作状態を有し、前記回転範囲は６０度よりも大きい、医療超音波装置。
【請求項２】
前記第１および第２の伝導経路の各々は、前記モーターの、前記装置の制御端部により近い側にある非回転制御側部分をそれぞれ有する、請求項１に記載の医療超音波装置。
【請求項３】
医療超音波装置であって、
回転する駆動軸を有するモーターを備え、前記駆動軸は前記モーターの径方向内側に位置決めされ、前記駆動軸は、実質的に回転軸に沿って延在し、前記モーターの動作により前記駆動軸が前記回転軸を中心に回転し、医療超音波装置はさらに、
超音波信号を送信および／または受信するように構成されるとともに、前記駆動軸の回転に応答して回転するように前記駆動軸と動作的に結合するトランスデューサを備え、前記トランスデューサは、前記トランスデューサから延在する音響窓を規定する範囲にわたって前記回転軸を中心に回転可能であり、前記音響窓の全体は、撮像可能超音波信号の通過を許容する音響減衰を有し、医療超音波装置はさらに、
前記トランスデューサから前記駆動軸を通って延在する第１の伝導経路を備え、前記第１の伝導経路の一部は、前記駆動軸を通って延在する第１の導体を少なくとも含み、
前記モーターは、前記モーターが第１の回転方向と反対の第２の回転方向との間で交互に前記回転軸を中心に前記駆動軸を回転させる動作状態を有し、前記回転範囲は６０度よりも大きく、
第１および第２の端部を有する付勢部材をさらに備え、前記第１の端部は前記駆動軸に固定して取り付けられ、前記第２の端部は前記モーターに対して固定して配置される、医療超音波装置。
【請求項４】
前記付勢部材は巻きばねである、請求項３に記載の医療超音波装置。
【請求項５】
前記付勢部材は第１の付勢導体を含み、前記第１の付勢導体は前記第１の伝導経路の一部である、請求項３に記載の医療超音波装置。
【請求項６】
第２の伝導経路をさらに備え、前記第２の伝導経路の一部は、前記駆動軸と一体であるとともに前記駆動軸を通って延在する第２の導体を少なくとも含み、前記第１および第２の導体は、前記駆動軸内に固定して取り付けられ、前記駆動軸とともに回転し、前記付勢部材は、前記第１の付勢導体から電気的に絶縁された第２の付勢導体を含み、前記第２の付勢導体は前記第２の伝導経路の一部である、請求項５に記載の医療超音波装置。
【請求項７】
前記動作状態において、前記モーターは、前記第１および第２の回転方向の各々において駆動軸を少なくとも１８０度回転させる、請求項１または３に記載の医療超音波装置。
【請求項８】
前記動作状態において、前記モーターは、前記第１および第２の回転方向の各々においてユーザーの規定した範囲にわたって前記駆動軸を回転させる、請求項１または３に記載の医療超音波装置。
【請求項９】
前記トランスデューサを封入する流体封止チャンバをさらに備え、前記チャンバは流体で満たされ、前記流体は撮像を可能とする音響インピーダンスを有する、請求項１または３に記載の医療超音波装置。
【請求項１０】
前記流体は、塩水、水、鉱油、ひまし油、および混合アルコールからなるグループから選択される、請求項９に記載の医療超音波装置。
【請求項１１】
前記トランスデューサは超音波素子に結合される裏材を含み、前記第１の伝導経路は前記裏材の一部を通る、請求項１または３に記載の医療超音波装置。
【請求項１２】
前記トランスデューサの配向および回転は、前記トランスデューサから離れる方向へ前記音響窓を通って向けられる超音波界を規定し、前記導体は前記超音波界の外に残る、請求項１または３に記載の医療超音波装置。
【請求項１３】
前記第１の伝導経路は、前記トランスデューサに対して固定された回転部分と、前記モーターの、前記装置の制御端部により近い側に位置決めされた非回転部分とを有する、請求項１または３に記載の医療超音波装置。
【請求項１４】
前記モーターは電磁モーターである、請求項１または３に記載の医療超音波装置。
【請求項１５】
カテーテルを備え、前記モーターおよびトランスデューサは前記カテーテルの適用側部分内にある、請求項１または３に記載の医療超音波装置。
【請求項１６】
前記トランスデューサは前記回転軸上に位置決めされる、請求項１または３に記載の医療超音波装置。
【発明の詳細な説明】
【技術分野】
【０００１】
本開示は、患者の身体内において超音波を使用する装置および方法に関する。特に、血管内など小さな身体領域における効率的な使用を可能とする特徴に関する。
【０００２】
関連出願への相互参照
本件出願は、引用によりここに援用される、２０１２年１０月１２日に出願された米国特許仮出願第６１／７１３，１３５号の利益を主張するものである。
【背景技術】
【０００３】
背景
超音波技術は、身体の内部の画像を提供することを含み得る、治療および診断の医療手順のために使用されている。超音波手順では、典型的に、信号を発信および受信するためにトランスデューサアセンブリが使用される。一部の場合において、静止トランスデューサアセンブリにより、アレイ状の複数の超音波要素の特定的な位置決めによって完全な画像領域を見ることができる。他の設計は、トランスデューサアセンブリを機械的に回転させることによってデータを取得する単一の超音波要素を有する回転トランスデューサを含む。その場合、変化する回転位置において連続的な超音波パルスを発信するトランスデューサアセンブリによってデータは取得される。アレイ設計と比較した場合の単一要素回転設計の利点としては、カテーテルの直径が小さいこと、画質が良いこと、中心周波数が高くなり得ること、超音波撮像コンソールのコストが低いこと、およびリングダウンアーチファクト（デッドゾーン）が小さいことが含まれる。
【０００４】
また、単一要素設計は、不均一回転歪み（ＮＵＲＤ）などの特定の欠点も含み得る。単一要素設計を含む撮像手順時において、超音波要素は典型的にトルクケーブルを用いて回転される。超音波パルスは、超音波要素の均一な回転速度が見込まれた状態で、等間隔の時間で連続的に発信される。各反射超音波パルスまたはエコー信号は、画像の一部または走査線を示す。画像処理部は、データポイントが等間隔のパルスからの画像を示すという仮定に基づいてデータを集合させる。しかしながら、駆動手段としてトルクケーブルを使用した場合には、超音波要素の均一な回転速度を実現することは困難となり得る。超音波要素はトルクケーブルの駆動端部から約１メートルの位置にあり得る。理想的には、トルクケーブルは、両端部における均一な回転を提供するために十分な剛性を有すると同時に操作性を許容する。しかしながら、実際的には、十分に操作可能なトルクケーブルにより、ケーブルが弾性エネルギーを蓄積および解放するにつれ、ケーブルの一方側の端部から他方側の端部へトルクを伝達する際に遅れの可能性が生じ、これにより、回転源が均一な速度で回転している場合であってもトランスデューサアセンブリが不均一な速度で回転する。不均一な回転速度により、得られる画像に歪みが起こる。
【０００５】
トルクケーブル無しに単一要素設計を作る試みには、さらに他の問題がある。静止トランスデューサアセンブリの付近に位置決めされる超小型モーターおよび回転反射器を含む設計には、追加のスペースが必要となる。加えて、制御線または構造部品は、音響窓と交差し得て、画像の一部が妨害される。他の問題として、超音波トランスデューサを含むカテーテル先端部が壊れる可能性がある。回転トランスデューサアセンブリの付近に位置決めされれた超小型モーターを含む設計には、さらに他の問題がある。現在の商業化された設計では、静止電線をコンソールから回転超音波要素へ接続するために、コストが高く大きい回転トランスが使用されている。しかしながら、回転トランスは、このような撮像システムの構成部品の中でも最も高価である。スリップリングは、スペースを取るとともに超音波信号に電気的ノイズを加え得るという欠点を有する。
【０００６】
現在の設計には、他の問題がある。典型的に、トランスデューサアセンブリは、専用のカテーテルに位置決めされる。通常、カテーテルは、治療カテーテルと同じ多目的管腔を共有しており、たとえばステントもしくはグラフトの展開または生体組織検査の実施などの追加の手順と同時またはこの追加の手順時に医師が撮像モニタリングを行うことが防げられる。
【０００７】
したがって、費用効果が高く、サイズが小さく、ＮＵＲＤアーチファクトおよび妨害された表示領域のない、カテーテルと一体化され得る超音波システム設計が必要とされている。
【発明の概要】
【課題を解決するための手段】
【０００８】
概要
とりわけ、内部超音波手順に使用される装置、ならびにその製造および使用の方法が開示される。たとえば、内部超音波撮像のための装置は、駆動軸と動作的に結合する静止モーターを含み、駆動軸はモーターの径方向内側に位置決めされ、実質的に回転軸に沿って延在し、モーターの動作によって駆動軸が回転軸を中心に回転する。超音波信号を送信および／または受信するように構成されたトランスデューサは、駆動軸の回転に応じてトランスデューサが回転するように駆動軸に動作的に結合される。トランスデューサは、トランスデューサから外側へ延在する音響窓を規定する範囲にわたって回転軸を中心に回転可能である。音響窓の全体は、撮像可能な超音波信号の通過を可能とする音響減衰を有する。
【０００９】
第１の伝導経路はトランスデューサから駆動軸を通って延在し、第１の伝導経路の一部は、駆動軸と一体であって駆動軸を通って延在する第１の導体を少なくとも含む。モーターは、静止モーターが第１の回転方向と反対の第２の回転方向との間で交互に回転軸を中心に駆動軸を回転させる動作状態を有する。第２の伝導経路はトランスデューサから駆動軸を通って延在し得て、第２の伝導経路の一部は、駆動軸と一体であって駆動軸を通って延在する第２の導体を少なくとも含む。第１および第２の導体は、駆動軸内に固定して取り付けられ、駆動軸とともに回転し得る。駆動軸は、第２の伝導経路に対して同心で位置決めされる第１の伝導経路を有する同軸ケーブルであり得る。第１および第２の伝導経路は、モーターの制御側にある非回転制御側部分を有し得る。
【００１０】
装置は、第１および第２の端部を有する付勢部材を含み得る。第１の端部は、駆動軸に固定して取り付けられ得て、第２の端部は、静止モーターに対して固定して配置され得る。付勢部材は、巻きばねであり得る。付勢部材は、第１の伝導経路の一部である第１の付勢導体を含み得る。付勢部材は、第２の伝導経路の一部である第１の付勢導体から電気的に絶縁された第２の付勢導体を含み得る。
【００１１】
駆動軸は、管腔を規定する中空の駆動軸であり得て、第１の導体は管腔を通って延在する。一部の例において、動作状態は、第１および第２の回転方向の各々において少なくとも１８０度、各方向において少なくとも３６０度、または２７０度と３６０度との間の円弧でモーターが駆動軸を回転させることを有し得る。駆動軸は、回転方向の各々においてユーザーの規定した範囲にわたって回転され得る。
【００１２】
一部の例において、トランスデューサを封入する流体封止チャンバが設けられる。チャンバは、撮像を可能とする音響インピーダンスを有する流体で満たされる。このような流体の特定の例は、塩水、鉱油、ひまし油、または混合アルコールである。
【００１３】
トランスデューサは超音波素子に結合される裏材を含み得て、このような実施形態における伝導経路は裏材の一部を通り得る。特定の例は、トランスデューサの配向および回転によって規定された超音波界を有する。超音波界は、導体が超音波界の外側に残るような方法で、音響窓を通ってトランスデューサから離れる方向へ向けられ得る。第１の伝導経路は、トランスデューサに対して固定される回転部分と、モーターの制御側に位置決めされる非回転部分とを有し得る。
【００１４】
一部の例において、静止モーターは電磁モーターであり得る。装置はカテーテルを含み得て、このカテーテルにおいて、静止モーターおよびトランスデューサは、カテーテルの適用側部分内に位置決めされる。一部の例において、トランスデューサは回転軸上に位置決めされる。
【図面の簡単な説明】
【００１５】
【図１】中空の駆動軸を有する超音波装置を示す概略部分断面図である。
【図２】同軸駆動軸と付勢部材導体とを有する代替的な超音波装置を示す概略部分斜視図である。
【図３】図２の同軸駆動軸を示す断面図である。
【図４】伝導コイルばねを有する図１の超音波装置を示す部分断面図である。
【発明を実施するための形態】
【００１６】
例示される実施形態の記載
開示の原理についての理解を促す目的で、図面に例示される実施形態が参照され、これを記載するために具体的な用語が使用される。これにも関わらず、請求項の範囲についての限定は意図されていない。記載される実施形態についての任意の変更およびさらに他の変形、および本願明細書に記載される開示の原理についてのさらなる適用は、開示が関係する当業者が通常行い得るように考えられる。
【００１７】
図面の全体を参照すると、内腔医療手順に適した装置２０の実施形態が示される。装置２０は、コンソール（図示せず）と装置２０とを含むシステムとともに使用され得る。一部の場合において、システムは撮像システムであり得る。超音波コンソールは、医療超音波撮像に概して使用されるタイプのものであり得て、たとえば、医師が使用可能な制御装置と、超音波手順時に取得されるグラフィック画像を表示するグラフィックディスプレイとを概して含む。装置２０は、たとえば経皮的穿刺により、血管、尿道、尿管、膣、直腸、喉、耳などの身体の様々な箇所において、または人工管（管腔）を通じて、画像を取得するために使用され得る。コンソール部分は、商業的に利用可能な適合したピン配置を伴う超音波プローブもしくはカテーテル、または内腔手順のために構成された他の医療装置に接続され得る。装置２０は、超音波信号を発信および受信し、超音波信号からコンソールへ取得されたデータを通信することができる。コンソールは、データを処理するように構成され、ディスプレイで見ることが可能な画像および他のデータ出力を作る。
【００１８】
図１に概略的に示される実施形態において、装置２０は、内部チャンバ２６を規定する壁２４を有する、カテーテル２２もしくは他の柔軟な長形部材を含む。カテーテル２２は、身体の開口部もしくは管腔への挿入および／またはこれに沿った移動のためにサイズ設定および構成される。トランスデューサ２８およびトランスデューサ２８と動作的に結合したモーター３２がチャンバ２６内に位置決めされる。概して、カテーテル２２は、モーター３２がトランスデューサ２８に回転運動を与える身体の箇所へのアクセスを提供する。装置２０は、モーター３２およびトランスデューサ２８のために構造的な支持を提供するためのモーター筐体（図示せず）を選択的に含み得る。モーター３２によって提供される回転運動と連動するトランスデューサ２８は、トランスデューサ２８と超音波コンソールとの間のデータ信号通信線に沿って通る様々な方向において超音波信号を発信および受信することが可能である。
【００１９】
例示される実施形態におけるカテーテル２２は、プラスチックもしくは他の頑丈な柔軟性材料からなる長形の装置であり、超音波信号の通過に対する最小限のバリアを提示する。このバリアは十分に小さいため、超音波画像がバリアを通って適切に取得され得る。カテーテル２２は、使用時にユーザの最も近くにある制御端部と、使用時に患者の最も近くにある適用端部とを含む。「制御」および「適用」の用語は、カテーテル２２の部分間の相対位置、より全体的には装置２０を記載するために、この記載の全体にわたって使用される。例示的な例として、例示的な部分Ａが例示的な部分Ｂの制御側に位置決めされているものとして記載する場合、例示的な部分Ａは例示的な部分Ｂと比較してカテーテル２２に沿って制御端部により近く位置決めされる。
【００２０】
壁２４は、例示される実施形態において装置２０の適用端部にあるチャンバ２６を囲む。壁２４および／またはカテーテル２２の制御端部は、使用時に患者の外部に延在し得て（または患者の外部に延在する他の部品に取り付けられ得て）、カテーテル２２を操作するハンドルもしくは他の動作部分で終了し得る。カテーテル２２または少なくともチャンバ２６の特定の実施形態は筒状であり、身体の開口部および管腔への挿入および通過、たとえば大腿動脈への挿入および心臓へ向けた通過のためにサイズ設定される。壁２４は、以下でさらに説明するように、チャンバ２６への流体の注入を可能とする入口または他の特徴を有し得る。
【００２１】
カテーテル２２は、周囲の作業環境（血管内の血液など）に置かれた時に実質的にエコー透過性である材料から構成され、最小限の反射を伴って超音波信号の通過を可能とする音響窓として作用する。エコー透過性は、実質的に一致した音響インピーダンスを有する媒体を有する超音波伝導経路によって得られるものである。たとえば、体組織および血液を含む血管内において使用される場合、カテーテル２２は、構造的に固く、血液などの体液と同様の音響インピーダンスを有する材料から構成されるのが好ましい。可能性のある材料としては、たとえば、高密度ポリエチレン、ポリメチルペンテン（ＰＭＰ）、またはアクリロニトリルブタジエンスチレン（ＡＢＳ）などのポリマー材料が含まれ得る。一部の場合において、音響窓内に位置決めされれたカテーテル２２の少なくとも一部の厚さは、超音波信号の中心周波数に対応する波長の約Ｎ／２（Ｎは正の整数である）であり得ると判定された。
【００２２】
トランスデューサ２８は、図面において概略的に示される。「トランスデューサ」の用語は、２つ以上の部分からなるアセンブリおよび単一の部品を含むものとして理解すべきである。本願明細書において使用される「トランスデューサ」は、超音波信号の送信（すなわち、電気（ＲＦ）信号を超音波へ変換）、超音波信号の受信（すなわち、超音波を電気（ＲＦ）信号へ変換）、またはこれら両方を行う装置を含むものとしてさらに理解すべきである。超音波の送信は、トランスデューサ２８の１つの要素において行なわれ得て、受信はトランスデューサ２８の他の要素において行なわれ得る。本願明細書に記載されるトランスデューサは、それぞれのトランスデューサとして１つ以上の圧電要素を有し得て、身体内または身体の外部で他のトランスデューサと組み合わせて動作し得る。例として、本願明細書において使用される「トランスデューサ」は、単一要素トランスデューサおよび要素の一次元アレイを含む。
【００２３】
例示的なトランスデューサ２８は、本体もしくは裏材４０を含み、超音波要素４２が裏材４０の一方側に取り付けられ、選択的に１つ以上の締付けリング４４が設けられる。トランスデューサ２８は、要素４２の一方側に取り付けられた整合層（図示せず）を含み得る。要素４２は、電気エネルギーを音波へ、および音波を電気エネルギーへ変換する能力を有する圧電要素であり得る。示されるように裏材４０に隣接した要素４２の位置決めにより、超音波ビーム方向の方向決めがなされる。裏材４０は、超音波信号を実質的に透過し得ない、または反射し得ることから、このような信号は、効果的に要素４２から外方向へ、たとえば、一方側へ、または限定された角度範囲内で裏材４０から径方向に放射されるのみである。整合層は、トランスデューサ２８を囲む媒体と同様の音響インピーダンスを有する。説明した様に、トランスデューサ２８は、医療超音波手順において典型的に使用される周波数の範囲、たとえば、２０ＫＨｚから１００ＭＨｚの範囲の超音波を送信および受信することができる単一要素のトランスデューサであり得る。締付けリング４４は、効率を向上させるとともにトランスデューサ２８に機械的安定性を加えるものと判定された。
【００２４】
モーター３２は、カテーテル２２のチャンバ２６内に収容するのに適した小さいサイズを有する超小型モーターである。このような超小型モーターの例としては、カテーテル２２のチャンバ２６内に収容するのに適したサイズおよび構成の圧電もしくは電磁モーターが含まれる。たとえば、モーター３２の特定の実施形態は、構成部品が少なく、サイズが小さく、複雑性が最小限である、三層コアレスブラシレスＤＣ電磁モーターである。他の例においては、ギアヘッド（機械式トランスミッション）を必要としないという利点から、高いトルクを実現し、トルクケーブルおよび回転トランスの問題を無くすために、圧電超小型モーターが使用され得る。超小型モーター３２（たとえば、電磁もしくは圧電）は、０．３ｍｍから４ｍｍの範囲の直径を有し、特定の実施例においては、たとえば約２．０ｍｍの直径を有する。
【００２５】
モーター３２は、トランスデューサ２８への直接的もしくは関節的な接続のために、回転可能軸７０を含む。この実施形態において、モーター３２は、往復運動で動作するように構成され、軸７０は、第１の回転方向への回転（たとえば、所定の時間または回転数）と、第２の反対の回転方向への回転（たとえば、所定の時間または回転数）との間で切り換わる。ホールセンサ（図示せず）、光エンコーダ（図示せず）、または超音波、逆起電力、モーター突極性、またはこれらの１つ以上の組合せが、モーター３２の角度位置を制御および／または監視するためにこのような往復型の実施形態において使用され得る。ホールセンサは、サイズが小さく熟考された設計であることから、フィードバック機構として有利であると判定された。一部の実施形態において、トランスデューサ２８によって発信および／または受信された超音波ビームもしくは信号は、装置２０の残りの部分に対するモーター３２（およびそれによって回転する超音波ビーム）の回転位置を正確に評価および監視し、トランスデューサ２８を通じて取得される画像の適切な位置合わせを確保するフィードバック機構として使用される。位置合わせは、以下で参照される関連出願において説明される方法および構造によって達成され得る。封止３４、ベアリング、または他の構造は、モーターとトランスデューサ２８を囲むチャンバとの間に流体封止を提供するために、モーター３２および軸７０に隣接して位置決めされる。
【００２６】
軸７０は、管腔７２が延在する中空軸であり得る。軸７０は、モーター３２の全体にわたって延在する。軸７０は、この実施形態において、筒として概して構成される。管腔７２は、軸７０を通って延在し、導電体（たとえば、以下でさらに記載する線またはケーブル）、機械動作物（たとえば、ワイヤガイド）、および／または軸７０を通過する他の特徴の通過を許容し、軸７０の回転に影響を与えることなく、管腔７２を通る電気的および／または機械的な力もしくはエネルギーの伝達を可能とする。トランスデューサ２８は、軸７０の回転に応じてトランスデューサ２８が回転するように動作的に軸７０に接続される。
【００２７】
トランスデューサ２８は、この実施形態において、その長手軸が軸７０の回転軸に対して平行または一致するように、軸７０に動作的に結合される。要素４２は、この実施形態において、要素４２から発信された超音波ビームもしくは信号が回転軸から外方向へ移動するように位置決めされる。同様に、要素４２は、回転軸の外方向から超音波ビームもしくは信号を受信する。一例におけるトランスデューサ２８は、中間支持部４６の手段を通じて軸７０と結合する。支持部４６は、中空であり、軸７０と同様の態様で内管腔を規定し得る。代替的に、トランスデューサ２８は、軸７０に直接的に結合され得る。
【００２８】
カテーテル２２の適用端部に向けて延在するトランスデューサ２８を直接囲むチャンバ２６の一部は、塩水、油（たとえば、鉱油もしくはひまし油）、または混合アルコールなど、血液もしくは組織と同様の音響インピーダンスを有する流体もしくは他の物質で完全に満たされ得る。物質は、回転時にトランスデューサ２８に作用する摩擦を最小化すべきである。結合流体およびカテーテル２２の材料により、体液とトランスデューサ２８を直接的に囲む媒体との間の音響整合を実現することが可能となる。音響整合により、トランスデューサ２８と体組織との間で超音波信号の送信および受信が行われた場合に信号損失が最小限となるよう保証され、得られた画像の明確性が向上する。流体は、製造時に装置２０に加えられ得る、または代替的に使用前に加えられ得る。製造時において、トランスデューサが封止され、結合流体がチャンバ内に置かれた場合、部品との長期にわたる接触には、製品の貯蔵寿命を確保するために、鉱油もしくはひまし油などの非腐食性流体が必要となる。好ましくは、油は、生体適合性および音響透過性を有し、低い粘性を有する。代替的に、カテーテル内に位置決めされる、またはカテーテル壁を通って位置決めされる流体連絡口（図示せず）は、流体を加えるためのアクセスを可能とし、この場合には腐食性流体が使用され得る。水、塩水、およびアルコールなどの腐食性流体は、典型的に、生体適合性、音響透過性、および粘性のより好ましい組み合わせを有する。
【００２９】
装置２０は、伝導路に沿ってトランスデューサ２８から軸７０を通じて電気信号を通すように設計される。図１の実施形態において、導体５０，５２は、トランスデューサ２８から管腔７２を通って延在するとともにコンソールと伝導的かつ動作的に結合する伝導路の一部である。たとえば、導体５０は信号チャネルであり、導体５２は地面チャネル（ground channel）である。導体５０，５２は、伝導路の回転部分に取り付けられた適用側端部と、伝導路の非回転部分に取り付けられた制御側端部（図示せず）とを有し、たとえば、カテーテル２２の壁内の固定導体、または超音波コンソールへ延在する。導体５０，５２は、壊滅的な損傷を受けることなく、軸７０およびトランスデューサ２８からの回転運動に応じた捻じり運動を受けながら電気信号を伝導し得る。
【００３０】
一例として、導体５０，５２は、特定の構成の要件に応じて、様々な位置においてトランスデューサ要素４２に取り付けられ得る。導体５０，５２は、裏材４０および／または締付けリング４４を通って管腔７２へ延在する細い線であり得る。代替的に、導体５０，５２は、トランスデューサ２８の側部から延在し、封止口（図示せず）を通って封止的に管腔７２に入り得る。代替的に、裏材４０は、裏材の全体が伝導経路の一部となるように伝導性であり得る。同様に、整合層は、伝導経路の一部である伝導層であり得る。導体５０，５２は、カテーテル２２の管腔の長さにわたり、トランスデューサ２８から超音波コンソールへ延び得る。代替的に、導体５０，５２は、カテーテル２２内に位置する中間カップラー（図示せず）または制御側取り付け点へ延在し得る。制御側取り付け点またはカップラーにより、導体５０，５２と超音波コンソールとの間の電気通信が容易となる。制御側取り付け点は、駆動軸７０の制御側端部の制御側にある非回転位置において概して固定される。しかしながら、一部の例において、制御側取り付け点は、中空の駆動軸内に位置決めされ得る。他の例において、導体５０，５２は、たとえば同軸であり得る、単一のケーブルに固定され得る。他の例において、導体５０，５２は、トランスデューサ２８と導体５０，５２との間に位置決めされる１つ以上の中間導体（たとえば、剛性軸または単一のケーブル）と結合され得る。この方法において、伝導経路は、伝導経路が軸７０を通って延在するとともに導体５０，５２を含む様々な方法で実現される。
【００３１】
装置２０の動作時において、医師は、患者の身体に装置２０を挿入し、たとえば特定の血管などの所望の位置へそれを操作する。ひとたび装置２０が、撮像される体組織の領域内またはその付近に適切に位置決めされると、回転モーター３２が動作し、軸７０が回転する。これに対応し、トランスデューサ２８は回転軸を中心に回転する。要素４２は、伝導路（たとえば、導体５０）を通じて起動され、コンソールから電力を受ける。要素４２は、この実施形態において、軸７０に対して実質的に外方向へ向けて、すなわち回転軸に対して実質的に垂直に超音波信号を送信する。
【００３２】
超音波信号が送信されると、超音波信号は、超音波信号が部分的に体組織の表面で反射するように、音響インピーダンス境界（たとえば、体液もしくは他の取り囲む材料とは十分に異なる音響インピーダンスを有する、体組織、プラーク、または他の材料）に接触するまでカテーテル２２の壁２４を渡って通過する。超音波信号の一部は、反射してトランスデューサ２８に向けて戻る。トランスデューサ２８で受信した反射された超音波を示す１つ以上の電気信号は、撮像および医師への表示のために、トランスデューサ２８から伝導路（たとえば、導体５０）を介して超音波コンソールへ送信される。同時に、またはその後に、トランスデューサ２８は、さらなる超音波信号を発信し続け、特定の実施形態においては継続的に所望の期間にわたって処理が繰り返される。
【００３３】
トランスデューサ２８は、回転モーター３２の力の下に往復の態様で回転され、一方向へ固定の距離だけ回転され、そして反対方向へ固定の距離だけ回転される。図１の例において、導体５０，５２は、トランスデューサ２８と同期して回転し、特定の実施形態においては、一方向に互いに少なくとも部分的に捻じられ、捻じれが解かれ、反対方向に互いに少なくとも部分的に捻じられる。導体５０，５２の制御側接続点（図示せず）は静止し続け、導体を制御して捻じること、およびコンソールとの非回転結合を可能とすることが容易になる。導体５０，５２は、十分な緩みをもって管腔７２内に位置決めされ、これによって導体５０，５２もしくはそれらのトランスデューサ２８との接続点、または制御側接続点を損傷することなく、導体５０，５２を巻くことができる。他の例において、導体５０，５２は、弾性（または他の）特性を有して構成される単一のケーブル（たとえば、同軸）に固定され得て、導体への壊滅的な損傷なくしてケーブルを捻じることができる。さらに他の例において、導体５０，５２は、超音波要素と導体５０，５２との間に伝導的かつ動作的に位置決めされた中間導体に取り付けられた場合に、捻じれ反応を起こすように構成される。
【００３４】
装置２０の代替的な例が図２に示される。図２の例は、既に記載された実施形態と同様であり、図２の例に関連して記載される任意の追加の変形した特徴以外は、全ての記載がこの例にも適用される。
【００３５】
図２の例は、モーター３２と、トランスデューサ２８と、同軸軸８０と、付勢部材９０と、同軸ケーブル１００とを含む。この例において、概して少なくとも１つの伝導路は、トランスデューサ２８から、軸８０、付勢部材９０、および同軸ケーブル１００を通って延在する。軸８０および付勢部材９０は、装置２０の回転可能部分と装置２０の静止部分との間に導電性を与える。この例において、伝導経路の制御側取り付け点は、付勢部材９０と同軸ケーブル１００との間の接続である。
【００３６】
軸８０は、延在する伝導路の一部としての導体を含む剛性軸である。一例において、軸８０は、内部導体８２と外部導体８４とを有する同軸ケーブルである（図３）。内部導体８２および外部導体８４は、トランスデューサからコンソールへ延在する伝導路の一部を形成する。内部導体８２は、図３に示されるように、外部８４と同心で内側に位置決めされる。内部導体８２および外部導体８４は、絶縁層８６によって分離および電気的に絶縁される。内部導体８２および外部導体８４は、トランスデューサ２８からモーター３２を通ってモーター３２の少なくとも制御側端部へ軸８０の長さにわたって延在する。他の例において、上述のように、軸８０は、位置決めされる線導体を有する中空軸であり得る。
【００３７】
トランスデューサ２８は、軸８０の回転に応答してトランスデューサ２８が回転するように軸８０に動作的に接続される。トランスデューサ２８は、この実施形態において、その長手軸が軸８０の回転軸と平行または一致するように軸８０と動作的に結合される。導体８７は、トランスデューサ２８と外部導体８４との間に電気的かつ動作的に配置され、トランスデューサ２８と外部導体８４との間で電気信号を運ぶことが可能である。導体８８は、トランスデューサ２８と内部導体８２との間で電気的かつ動作的に配置され、トランスデューサ２８と内部導体８２との間で電気信号を運ぶことが可能である。導体８８は、裏材部品または板（たとえば、上記の裏材４０）内に全体的もしくは部分的に位置決めされ得る。代替的に、導体８８は、トランスデューサ２８の外部へ（たとえば、面２９に沿って）経路選択され、被覆線などの適した絶縁方法によって外部導体８４から絶縁された内部導体８２に動作的に接続され得る。導体８７，８８は、線、絶縁線、または他の適した導体であり得る。
【００３８】
付勢部材９０は、モーター３２の制御側に位置決めされる。付勢部材９０は、例示される実施形態において回転軸を中心にコイルの態様で位置決めされる、コイルもしくはらせん型ばねである。付勢部材９０は、その端部の一方が軸８０に接続され、その他方の端部がモーター３２に接続され、モーター３２は固定され、その中での（すなわち、モーターステーター）軸８０の相対回転を可能とする。代替的に、付勢部材９０は、取り囲む壁または他の静止部品に固定され得る。付勢部材９０は、前部ばね９２（または付勢導体）と後部ばね９３（または付勢導体）とを含み、これらは単一のユニットとして協働して動作するように配置されている。前部ばね９２は、後部ばね９３の適用側に位置決めされる。前部ばね９２および後部ばね９３は、絶縁層９４によって分離されている。絶縁層９４は、前部ばね９２を後部ばね９３から電気的に絶縁する、接着剤、ゴム、プラスチック（たとえば、パラレン）または他の好適な材料であり得る。他の例において、絶縁層９４は、前部ばね９２および後部ばね９３が接続されていない場合は、空気または空洞であり得る。
【００３９】
導体９７，９８は、伝導路の一部を形成し、軸８０と付勢部材９０との間で電気信号を運ぶように位置決めされる。導体９７は、外部導体８４が露出する軸８０の表面上の任意の点であり得る接続点において一端が外部導体８４に取り付けられる。導体９７は、軸８０が取り付けられる全部ばね９２の部分の近くにおいて、他端が前部ばね９２に取り付けられる（図示せず）。導体９８は、内部導体８２が露出して外部導体８４に対してアクセス可能な軸８０の端部において内部導体８２に取り付けられる。導体９８は、軸８０に取り付けられる後部ばね９３の部分の近くにおいて、後部ばね９３に他端が取り付けられる（図示せず）。導体９７，９８は、線、絶縁線、または他の適した導体であり得る。
【００４０】
ケーブル１００は、電気信号を付勢部材９０からカテーテル２２の制御端部に向けて伝導的に運ぶように位置決めされる。同軸ケーブル１００は、外部導体部分と、外部導体部分の内部に同心で位置決めされるとともに外部導体部分から電気的に絶縁される内部導体部分とを含む（図示せず）。内部導体部分または外部導体部分の一方は、前部ばね９２に伝導的に接続され、内部導体部分または外部導体部分の一方は、後部ばね９３に伝導的に接続される。代替的に、ケーブル１００は、ＰＣＢケーブル、別個の導体、または電気信号を運ぶための他の好適な構造であり得る。
【００４１】
付勢部材９０は、回転可能軸８０と非回転可能同軸ケーブル１００との間に電気信号を運ぶとともに、回転軸を中心に軸８０が往復する間に機械エネルギーを解放するように構成される。動作時において、モーター３２からの力を受けて回転軸を中心に中立位置から軸８０が回転するにつれ、付勢部材９０は導体９７，９８と同軸ケーブル１００との間の導電路を維持しながら弾性変形する。付勢部材９０が弾性変形するにつれ、軸８０の回転運動に対して作用する付勢部材９０内にばね力が蓄積する（機械エネルギーが保存される）。軸８０が所与の方向における完全な回転経路に近づくにつれ、モーター３２は回転力を減少または終了させ、軸８０が回転を止める。モーター３２からの回転力を欠いた状態で、付勢部材９０において蓄積したばね力により、軸８０が反対方向へ回転を始める。動作時における特定の時間において、モーター３２は、軸８０を再係合し、蓄積されたばね力と協働して（またはこれに続いて）作用し、これにより、付勢部材９０における保存された機械エネルギーが膨張して付勢部材９０が再び中立（非変形）位置に戻った後でも、軸８０が回転を続ける。モーター３２が再び軸８０を中立位置から回転させ続けるにつれ、付勢部材９０の弾性変形に伴ってばね力が再び付勢部材９０内に蓄積し、処理が繰り返される。
【００４２】
この方法において、付勢部材９０を使用して機械エネルギーを保存および解放することにより、装置のより効率的な動作が可能となる。付勢部材９０が無い場合、モーター３２は、回転を止めて回転方向を変える場合、駆動軸の回転慣性に抗するためにトルク力を加えなければならない。付勢部材９０を欠いた構成において、慣性エネルギーは、熱として発散され、方向の変更時にモーター３２からのエネルギーを用いて再び加えられる。付勢部材９０は、方向の変更時に回転慣性を保存および回復させる。軸８０が往復して回転する場合、モーター３２から加えられたエネルギーが回転慣性として保存され、これが回転の一時停止および回転方向の変更に使用され、モーター３２によるこれらのタスクの実質的な負担が和らげられる。たとえば、付勢部材９０が０°（または中立位置）に向けて付勢されると、モーター３２は、−１８０°と１８０°との間で振幅するように構成され、ばねにより、時計回りの方向から反時計回りの方向への切換えが補助されるとともに、反時計回りの方向から時計回りの方向への切換えも補助される。この方法において、付勢部材９０は、モーター３２の要求および性能要件を減少させる。
【００４３】
装置２０の他の実施形態が図４に示される。その実施形態において、トランスデューサ２８とカテーテル２２の制御端部との間の往復伝導がコイル１１０によって実現される。コイル１１０は、管腔７２を通って延在する２チャネルばねである。コイル１１０は、導体５０に接続される第１のチャネル１１２と、導体５２に接続される第２のチャネル１１４とを有する。チャネル１１２は、絶縁層１１６もしくはコーティングの使用により、チャネル１１４から電気的に隔離される。示される実施形態において、チャネル１１２は、チャネル１１４に隣接して位置決めされる。他の実施形態において、チャネル１１２および１１４は、間に位置決めされた絶縁層とともに積み上げられた配向で位置決めされる。コイル１１０は、概して弾性材料によって構成され、上記の付勢部材９０についての記載と同様の態様において導電路を維持しながら弾性変形する。
【００４４】
装置２０は、一部の例において、３６０度を超えて回転し得る。他の例において、医師は、コンソールを使用して回転角度を選択する。小さい領域を選択することにより、撮像量が制限され得るが、フレームレートが向上し得て、その逆も同じである。この方法において、回転角は小さくなり得る（たとえば、２０°）。完全なスライス画像、円錐画像、もしくは環状面画像を取得するために、トランスデューサ２８は、回転を止める前に一方向に少なくとも３６０度回転し、他の方向へ少なくとも約３６０度方向を逆行させ（たとえば、約７２０度または２回転）、繰り返し得る。フレームレートおよび均一性を高めるために、装置２０は、各方向に複数回にわたって回転するように構成され得て（すなわち、たとえば１０８０度以上）、この場合において、導体５０，５２および／またはコイル１１０は、一方向または両方向に複数回にわたって回転するように構成される。記載したように、ホールセンサは、トランスデューサ２８の回転位置を監視し、往復回転動作を正確に停止および開始するために、および体組織の正確な視覚表示のための画像データのインデックス化のために使用される回転位置情報を提供する。
【００４５】
トランスデューサ２８は、スライスもしくは環状面の形状を取る広がり方向において超音波ビームが動くように回転軸を中心に回転する。この態様において、トランスデューサ２８が回転軸を中心に回転する一方、要素４２は、カテーテル２２に隣接する体組織の二次元画像見本を超音波撮像システムが作成するのに十分な超音波信号を放出および受信することができる。手順の具体的な内容、または手順を行う医師の要望に応じて、装置２０は、身体の開口部内で軸方向に移動することができ、身体の開口部内の異なる位置において複数の二次元画像が作成される。この方法において、二次元画像が処理されて三次元画像となり得る、または代替的に医師がカテーテル２２に隣接する体組織の物理的特徴についての三次元の概念的な理解を得ることができる。
【００４６】
本願明細書で記載される、中空の駆動軸および往復運動を含む実施形態により、装置２０は、回転鏡設計の使用の必要およびこのような設計に関する欠点を回避する、直接的に回転するトランスデューサ要素を含むことができる。たとえば、装置２０は短く、回転鏡設計よりも小さい空間を取る。本願明細書で記載される直接的に回転するトランスデューサの実施形態は、回転鏡設計よりも深い音響焦点深度を有する。開示される実施形態において、超音波は、超音波が径方向に移動を開始する前に数ミリメートルにわたって軸方向に（回転軸に対して）移動しなければならない反射器設計とは対照的に、回転軸（すなわち、カテーテル軸）に対して概して径方向に生成される。
【００４７】
装置２０は、アーチファクト、障害物、または誤差など、不要な音響減衰のない音響窓を通じて画像の捕捉を容易にする。たとえば、回転モーター３２、導体５０，５２、および他の構成部分の適用側にある位置にトランスデューサ２８を位置決めすることにより、トランスデューサ２８が全３６０°にわたって回転した場合であっても線またはエコー源性材料が音響窓内またはこれを横断して位置決めされないことを保証する。この方法において、再び方向づけされた超音波の画像または阻害部分内にアーチファクトを生じさせ得る線または他のエコー源性材料はなく、音響窓の全体についての明瞭な視界を医師に提供する。線もしくは他の導体５０，５２を軸７０の管腔７２を通じて配置することにより、装置の周囲にこのような導体のための余分な空間を設ける必要がないことから、装置２０の全幅を縮小することができる。本願明細書において使用される、「音響窓」の用語は、使用時に装置２０の外部に位置決めされ得る、トランスデューサ２８と有機流体もしくは組織との間の装置２０の構造の全体にわたって実質的に障害物の無い経路を含む。言い換えると、音響窓の全体は、低い音響減衰を有する、および／または血液もしくは水に実質的に一致する音響インピーダンスを有する。
【００４８】
カテーテルの適用端部から分離された、またはその近くに位置決めされるモーター３２は、トランスデューサ２８によって実現される均一な角速度を可能とする。この均一な角速度により、トルクケーブルに力を与えるトランスデューサから遠く離れたモーターの使用についての問題となり得る不均一回転欠陥（ＮＵＲＤ）の無い超音波画像が得られる。
【００４９】
装置２０は、経皮的手順、管腔内手順、または間質性手順のために設計された既存の医療装置とともに使用されるように構成される。たとえば、装置２０は、特定の構成に応じて、たとえばカテーテルの適用側もしくはその中に位置決めされる、異なる目的のための様々なカテーテルとして、またはこれらとともに使用され得る。前述のような装置２０の部品は、カテーテル内の既存の管腔内に位置決めされ得る。代替的な実施形態において、装置２０は、壁２４を有しているが装置２０をコンパクトに収容するように短くされたカテーテル２２と同様の外部ケースを含み得る。装置２０は、様々な搭載装置、接着剤、または他のタイプの設備を使用してカテーテルの外部に搭載され得る。当業者は、装置２０を既存の医療装置に搭載するための特定のタイプの搭載手順が様々な異なるタイプの搭載方法を含み得ることを理解する。これにより、本願明細書において記載される特定の方法は、装置２０の使用の許容範囲の局面を限定することを示すものではない。
【００５０】
インデックス付けシステムおよび三次元超音波装置など、本願明細書において記載される実施形態とともに他の特徴が含まれ得る。
【００５１】
上記の説明の一部は超音波システムの適用における具体的な使用についてのものであるが、装置２０の実施形態が様々な他の医療手順および様々な他の医療装置のために使用され得ることが理解される。本願明細書で記載される実施形態の多用性により、装置２０は、たとえば、塞栓コイル、ステント、フィルタ、グラフ、バルーン、生体組織検査、および貢献治療（ministering therapeutics）など、経皮的な治療介入をガイドするために使用され得る。装置２０は、治療を正しく配置またはガイドするために使用される様々な解剖学的ランドマークを配置するために使用され得る。典型的なランドマークは、合流、分岐、側枝、付近の血管、付近の神経、心臓、およびトランスデューサを収容する血管もしくは他の開口部に隣接する他の組織を含む。装置２０は、治療もしくは除去される病変組織の位置を確認するためにも使用され得る。装置２０は、生体組織検査時において組織内に展開されている針の画像を提供するために使用され得る。ＴＩＰＳ（経頸静脈的肝内門脈大循環短絡術）手順時においては、門脈内に配置された針を医師が見ることができるように画像が生成され得る。ＡＡＡ（腹部大動脈瘤）グラフト送達のために、装置２０は、対側脚に医師がケーブルガイドを配置できるようにする。装置２０は、展開されたインプラント可能な装置の展開時および展開後の位置を撮像するために使用され得る。
【００５２】
装置２０の一部の構成部品については、特定の材料が本願明細書において強調されたが、これらの材料は、装置２０において使用される好適な材料のタイプを限定することを意図していない。加えて、材料が強調されていない場合、皮下使用およびＩＶＵＳ撮像手順のために装置において好適に使用される、特定のタイプの金属、ポリマー、セラミックス、または他のタイプの材料など、様々な材料が使用され得る。
【００５３】
装置２０は、さまざまな他の医療手順のために、および様々な他の医療装置と合わせて使用され得る。当業者は、特定のタイプの搭載手順が様々な異なるタイプの搭載方法を含み得ることを理解する。よって、本願明細書において記載される特定の方法は、装置２０の使用範囲の局面を制限することを示していない。
【００５４】
本発明は、図面および上記の記載において例示および記載されたが、これは性質上、例示として考慮され、限定としては考慮されず、好ましい実施形態のみが示されて記載され、以下の請求項によって定義される本発明の精神の範囲内のすべての変更、均等物、および変形に関して保護が望まれることが理解される。１つの特定の実施形態または事項に対して記載される構造または他の特徴が、本願明細書に含まれる他の特徴、事項、または実施形態に関連して、またはこれとともに使用され得ることが理解される。この明細書において参照されるすべての公報、特許、および特許出願は、各別個の公報、特許、または特許出願が具体的かつ個別的に引用により援用されてその全体が本願明細書において記載されているかのように引用により援用される。特に、米国仮特許出願第６１／７１３，１８６号（２０１２年１０月１２日に出願）、国際出願第ＰＣＴ／ＵＳ１３／＿＿号（本件出願と同日に出願され、「マイクロモーターを有する機械走査超音波トランスデューサ（Mechanical Scanning Ultrasound Transducer with Micromotor）」と称する）、米国仮出願第６１／７１３，１４２号（２０１２年１０月１２日に出願）、国際出願第ＰＣＴ／ＵＳ１３／＿＿号（本件出願と同日に出願され、「実質的に音響的に透過性かつ伝導性の窓（Substantially Acoustically Transparent and Conductive Window）」と称する）、米国仮出願第６１／７１３，１７２号（２０１２年１０月１２日に出願）、国際出願第ＰＣＴ／ＵＳ１３／＿＿号（本件出願と同日に出願され、「三次元内部超音波使用のための装置および方法（Devices and Methods for Three-Dimensional Internal Ultrasound Usage）」と称する）であり、これらの各々はその全体が引用によりここに援用される。
【図１】
0006661372.tif 000002
【図２】
0006661372.tif 000003
【図３】
0006661372.tif 000004
【図４】
0006661372.tif 000005